(57)【要約】【課題】被験者の身体になんら特別の装置や器具を取り付ける必要がなく、且つ被験者がベッド上のどこに位置していても被験者の尿漏れや排泄等を検知することのできる身体状態モニタリングシステムを提供する。【解決手段】ベッド上の被験者の身体状態をモニターする身体状態モニタリングシステムは、ベッド又はベッドの脚下に設けられ、ベッドに加えられる荷重を検出する複数の荷重検出器と、前記ベッドに加えられる荷重から被験者の呼吸に応じて振動する呼吸成分を分離する荷重分離部と、前記ベッドに加えられる荷重に基づき全体重心の位置を求め、且つ前記呼吸成分に基づき被験者の呼吸重心の位置を求める重心位置算出部と、前記全体重心の位置と前記呼吸重心の位置との比較に基づいて被験者の身体状態を判定する身体状態判定部とを備える。【選択図】図１
2018019763.tif 000002
【特許請求の範囲】
【請求項１】
ベッド上の被験者の身体状態をモニターする身体状態モニタリングシステムであって、
ベッド又はベッドの脚下に設けられ、ベッドに加えられる荷重を検出する複数の荷重検出器と、
前記ベッドに加えられる荷重から被験者の呼吸に応じて振動する呼吸成分を分離する荷重分離部と、
前記ベッドに加えられる荷重に基づき全体重心の位置を求め、且つ前記呼吸成分に基づき被験者の呼吸重心の位置を求める重心位置算出部と、
前記全体重心の位置と前記呼吸重心の位置との比較に基づいて被験者の身体状態を判定する身体状態判定部とを備える身体状態モニタリングシステム。
【請求項２】
前記全体重心の位置と前記呼吸重心の位置とが一致している時点において前記ベッドに加えられる荷重の大きさと、前記全体重心の位置と前記呼吸重心の位置とがずれた後の時点において前記ベッドに加えられる荷重の大きさとを比較する荷重比較部を更に備える請求項１に記載の身体状態モニタリングシステム。
【請求項３】
ベッド上の被験者の身体状態をモニターする身体状態モニタリングシステムであって、
ベッド又はベッドの脚下に設けられ、ベッドに加えられる荷重を検出する複数の荷重検出器と、
前記ベッドに加えられる荷重から被験者の心拍に応じて振動する心拍成分を分離する荷重分離部と、
前記ベッドに加えられる荷重に基づき全体重心の位置を求め、且つ前記心拍成分に基づき被験者の心拍重心の位置を求める重心位置算出部と、
前記全体重心の位置と前記心拍重心の位置との比較に基づいて被験者の身体状態を判定する身体状態判定部とを備える身体状態モニタリングシステム。
【請求項４】
前記全体重心の位置と前記心拍重心の位置とが一致している時点において前記ベッドに加えられる荷重の大きさと、前記全体重心の位置と前記心拍重心の位置とがずれた後の時点において前記ベッドに加えられる荷重の大きさとを比較する荷重比較部を更に備える請求項３に記載の身体状態モニタリングシステム。
【請求項５】
前記判定される被験者の身体状態は、前記被験者による排泄の有無である請求項１〜４のいずれか一項に記載の身体状態モニタリングシステム。
【発明の詳細な説明】
【技術分野】
【０００１】
本発明は、荷重検出器を用いて身体の状態をモニターする身体状態モニタリングシステムに関する。
【背景技術】
【０００２】
病院の入院患者の看護や、介護施設の入所者の介護においては、患者や要介護者が自ら排泄をコントロールできない場合や、ベッド上で尿漏れがあったり排泄を行ったことを看護者や介護者に自ら伝えることができない場合がある。このような場合に使用できる排泄検知装置としては、特許文献１や特許文献２に記載の装置が提案されている。
【０００３】
特許文献１は、おむつや尿取りパッドに静電容量センサを内蔵し、静電容量センサにより排尿のあったこと、及び排尿の量を検知する排尿検知装置を開示している。特許文献２は、ベッドの中央部近傍のベッド下面に吸気ファンを設け、吸気ファンで吸気した空気を臭いセンサと湿度センサで計測しておむつが濡れているか否か、及び排泄物の種類を検知する排泄検出装置を開示している。
【先行技術文献】
【特許文献】
【０００４】
【特許文献１】特開２０１６−４７４８０号
【特許文献２】特開２０１４−３３７４５号
【発明の概要】
【発明が解決しようとする課題】
【０００５】
特許文献１に開示された排尿検知装置は、おむつや尿取パッドに内蔵したセンサを用いるため、おむつ等を着用していない被験者に対しては使用することができない。また、特許文献２に開示された排泄検出装置は、被験者が吸気ファンの設置位置とは異なる位置において排泄を行った場合には、適切な検知が行われない恐れがある。
【０００６】
そこで本発明は、被験者の身体になんら特別の装置や器具を取り付ける必要がなく、且つ被験者がベッド上のどこに位置していても被験者の尿漏れや排泄等を検知することのできる身体状態モニタリングシステムを提供することを目的とする。
【課題を解決するための手段】
【０００７】
本発明の第１の態様に従えば、
ベッド上の被験者の身体状態をモニターする身体状態モニタリングシステムであって、
ベッド又はベッドの脚下に設けられ、ベッドに加えられる荷重を検出する複数の荷重検出器と、
前記ベッドに加えられる荷重から被験者の呼吸に応じて振動する呼吸成分を分離する荷重分離部と、
前記ベッドに加えられる荷重に基づき全体重心の位置を求め、且つ前記呼吸成分に基づき被験者の呼吸重心の位置を求める重心位置算出部と、
前記全体重心の位置と前記呼吸重心の位置との比較に基づいて被験者の身体状態を判定する身体状態判定部とを備える身体状態モニタリングシステムが提供される。
【０００８】
第１の態様の身体状態モニタリングシステムは、前記全体重心の位置と前記呼吸重心の位置とが一致している時点において前記ベッドに加えられる荷重の大きさと、前記全体重心の位置と前記呼吸重心の位置とがずれた後の時点において前記ベッドに加えられる荷重の大きさとを比較する荷重比較部を更に備えてもよい。
【０００９】
本発明の第２の態様に従えば、
ベッド上の被験者の身体状態をモニターする身体状態モニタリングシステムであって、
ベッド又はベッドの脚下に設けられ、ベッドに加えられる荷重を検出する複数の荷重検出器と、
前記ベッドに加えられる荷重から被験者の心拍に応じて振動する心拍成分を分離する荷重分離部と、
前記ベッドに加えられる荷重に基づき全体重心の位置を求め、且つ前記心拍成分に基づき被験者の心拍重心の位置を求める重心位置算出部と、
前記全体重心の位置と前記心拍重心の位置との比較に基づいて被験者の身体状態を判定する身体状態判定部とを備える身体状態モニタリングシステムが提供される。
【００１０】
第２の態様の身体状態モニタリングシステムは、前記全体重心の位置と前記心拍重心の位置とが一致している時点において前記ベッドに加えられる荷重の大きさと、前記全体重心の位置と前記心拍重心の位置とがずれた後の時点において前記ベッドに加えられる荷重の大きさとを比較する荷重比較部を更に備えてもよい。
【００１１】
第１、第２の態様の身体状態モニタリングシステムにおいて、前記判定される被験者の身体状態は、前記被験者による排泄の有無であってもよい。
【発明の効果】
【００１２】
本発明の身体状態モニタリングシステムは、被験者の身体になんら特別の装置や器具を取り付ける必要がなく、且つ被験者がベッド上のどこに位置していても被験者の尿漏れや排泄等を検知することができる。
【図面の簡単な説明】
【００１３】
【図１】図１は、本発明の実施形態に係る身体状態モニタリングシステムの構成を示すブロック図である。
【図２】図２は、荷重検出器のベッドに対する配置を示す説明図である。
【図３】図３は、本発明の実施形態に係る身体状態判定方法を示すフローチャートである。
【図４】図４は、身体状態判定部３３の構成を示すブロック図である。
【図５】図５は、身体状態判定工程の詳細を示すフローチャートである。
【図６】図６は、変形例に係るベッドシステムの全体構成を示すブロック図である。
【発明を実施するための形態】
【００１４】
＜実施形態＞               
図１〜図５を参照して、本発明の実施形態について説明する。
【００１５】
図１に示す通り、本実施形態の身体状態モニタリングシステム１００は、荷重検出部１、制御部３、記憶部４、表示部５を主に有する。荷重検出部１と制御部３とは、Ａ／Ｄ変換部２を介して接続されている。制御部３には更に、報知部６及び入力部７が接続されている。
【００１６】
荷重検出部１は、４つの荷重検出器１１、１２、１３、１４を備える。荷重検出器１１、１２、１３、１４のそれぞれは、例えばビーム形のロードセルを用いて荷重を検出する荷重検出器である。このような荷重検出器は例えば、特許第４８２９０２０号や特許第４００２９０５号に記載されている。荷重検出器１１、１２、１３、１４はそれぞれ、配線によりＡ／Ｄ変換部２に接続されている。
【００１７】
荷重検出部１の４つの荷重検出器１１、１２、１３、１４は、被験者が使用するベッドの脚の下に配置される。具体的には荷重検出器１１、１２、１３、１４は、図２に示す通り、ベッドＢＤの四隅の脚の下端部に取り付けられたキャスターＣ１、Ｃ２、Ｃ３、Ｃ４の下にそれぞれ配置される。
【００１８】
Ａ／Ｄ変換部２は、荷重検出部１からのアナログ信号をデジタル信号に変換するＡ／Ｄ変換器を備え、荷重検出部１と制御部３にそれぞれ配線で接続されている。
【００１９】
制御部３は、専用又は汎用のコンピュータであり、内部に信号分離部（荷重分離部）３１、重心位置算出部３２、身体状態判定部３３が構築されている。
【００２０】
記憶部４は、身体状態モニタリングシステム１００において使用されるデータを記憶する記憶装置であり、例えばハードディスク（磁気ディスク）を用いることができる。表示部５は、制御部３から出力される情報を身体状態モニタリングシステム１００の使用者に表示する液晶モニター等のモニターである。
【００２１】
報知部６は、制御部３からの情報に基づいて所定の報知を聴覚的に行う装置、例えばスピーカを備える。入力部７は、制御部３に対して所定の入力を行うためのインターフェイスであり、キーボード及びマウスにし得る。
【００２２】
身体状態モニタリングシステム１００を使用した被験者の身体状態のモニターは、図３に示す通り、ベッドＢＤ上に加えられる荷重を検出する荷重検出工程Ｓ１、検出した荷重から被験者の呼吸に応じて変動する荷重成分を分離する信号分離工程Ｓ２、ベッドＢＤ上に加えられる荷重を用いて全体重心（詳細は後述）の位置を求め且つ分離した荷重成分を用いて呼吸重心（詳細は後述）の位置を求める重心位置算出工程Ｓ３、求めた全体重心の位置及び呼吸重心の位置に基づいて被験者の身体状態を判定する身体状態判定工程Ｓ４、判定した被験者の身体状態を表示部５に表示する表示工程Ｓ５を含む。
【００２３】
［荷重検出工程］
荷重検出工程Ｓ１では、荷重検出器１１、１２、１３、１４を用いてベッドＢＤ上に加えられる荷重を検出する。この荷重は、ベッドＢＤ上に加えられる全ての荷重であり、被験者Ｓの荷重のみならず、被験者Ｓ以外の人間や荷物等によりベッドＢＤの上面に加えられる荷重も含む。なお、ベッドＢＤの上面に常備されている物体（例えば寝具や転落防止柵等）による荷重は予めキャンセルされている。
【００２４】
荷重検出器１１、１２、１３、１４は、上記の通りキャスターＣ１、Ｃ２、Ｃ３、Ｃ４の下にそれぞれ配置されているため、ベッドＢＤの上面に加えられる荷重は、４つの荷重検出器１１、１２、１３、１４に分散して検知される。
【００２５】
荷重検出器１１、１２、１３、１４はそれぞれ、荷重（荷重変化）を検出してアナログ信号としてＡ／Ｄ変換部２に出力する。Ａ／Ｄ変換部２は、サンプリング周期を例えば５ミリ秒として、アナログ信号をデジタル信号に変換し、デジタル信号として制御部３に出力する。以下では、荷重検出器１１、１２、１３、１４から出力され、Ａ／Ｄ変換部２においてデジタル変換された荷重信号を、それぞれ荷重信号ｓ１、ｓ２、ｓ３、ｓ４と呼ぶ。
【００２６】
［信号分離工程］
信号分離工程Ｓ２では、信号分離部３１が、荷重信号ｓ１、ｓ２、ｓ３、ｓ４から、被験者Ｓの呼吸に応じて変動する荷重成分（以下、「呼吸成分」と呼ぶ）ｓ１１、ｓ２１、ｓ３１、ｓ４１を分離する。
【００２７】
信号分離部３１は、まず、荷重信号ｓ１〜ｓ４の少なくとも一つについてフーリエ解析を行い、被験者Ｓの呼吸に相当する周波数帯域の周波数スペクトルを求める。人間の呼吸の回数は毎分１２〜２０回程度であるため、呼吸の周波数は約０．２〜０．３３Ｈｚである。したがって、例えば０．１Ｈｚ〜０．３５Ｈｚの周波数帯域の周波数スペクトルにおいては、被験者Ｓの呼吸の周波数に対応する位置に周波数ピークが現れる。この周波数ピークの位置より、被験者Ｓの呼吸周波数ν１が特定される。
【００２８】
次いで、信号分離部３１は、荷重信号ｓ１、ｓ２、ｓ３、ｓ４の各々から、特定した呼吸周波数ν１で変動する成分（即ち呼吸成分ｓ１１、ｓ２１、ｓ３１、ｓ４１）を分離して取り出す。呼吸成分は、例えば、荷重信号ｓ１〜ｓ４の各々に対してバンドパスフィルタ処理を行うことにより取り出される。その後、信号分離部３１は、取り出した呼吸成分ｓ１１、ｓ２１、ｓ３１、ｓ４１を重心位置算出部３２に出力する。
【００２９】
［重心位置算出工程］
重心位置算出工程Ｓ３では、重心位置算出部３２が、全体重心Ｇの位置及び被験者Ｓの呼吸重心Ｇ１の位置を算出する。
【００３０】
全体重心Ｇは、荷重信号ｓ１〜ｓ４をそのまま用いて算出される重心であり、ベッドＢＤの上面に荷重を加える全要素の合成重心である。したがって、ベッドＢＤの上面に荷重を加える要素が被験者Ｓのみであれば全体重心Ｇは被験者Ｓの重心に一致するが、ベッドＢＤの上面に更に荷物等が置かれていれば、全体重心Ｇは被験者Ｓの重心と荷物等の重心の合成重心を表す。
【００３１】
被験者Ｓの呼吸重心Ｇ１は、荷重信号ｓ１〜ｓ４のうちの、被験者Ｓの呼吸周波数ν１で変動する呼吸成分ｓ１１〜ｓ４１を用いて算出される重心である。ベッドＢＤの上面に荷重を加える要素が被験者Ｓ以外に存在したとしても、そのような要素により加えられる荷重成分は被験者Ｓの呼吸周波数ν１で変動していないため、被験者Ｓ以外の要素は呼吸成分ｓ１１〜ｓ４１に影響を与えない。、従って、呼吸成分ｓ１１〜ｓ４１を用いて算出される呼吸重心Ｇ１は、被験者Ｓの移動や、被験者Ｓの体内における重量バランスの変化等、被験者Ｓの変化に基づいてのみ変動する。
【００３２】
全体重心Ｇの位置、及び呼吸重心Ｇ１の位置の算出は、次の演算により行われる。
【００３３】
ベッドＢＤ上に、図２に示す通りＸＹ座標を設定し、荷重検出器１１、１２、１３、１４、の座標をそれぞれ（Ｘ１１、Ｙ１１）、（Ｘ１２、Ｙ１２）、（Ｘ１３、Ｙ１３）、（Ｘ１４、Ｙ１４）、荷重検出器１１、１２、１３、１４の荷重の検出値をそれぞれＷ１１、Ｗ１２、Ｗ１３、Ｗ１４とすると、ベッドＢＤ上に荷重を加える要素の重心位置Ｇ（Ｘ、Ｙ）は、次式により算出される。
【数１】
2018019763.tif 000003
【数２】
2018019763.tif 000004
【００３４】
ここで、荷重検出器１１、１２、１３、１４の荷重の検出値Ｗ１１、Ｗ１２、Ｗ１３、Ｗ１４として、荷重信号ｓ１、ｓ２、ｓ３、ｓ４の各サンプリング時刻毎の出力値を用いることで、各サンプリング時刻ごとの全体重心Ｇの位置が算出される。同様に、検出値Ｗ１１、Ｗ１２、Ｗ１３、Ｗ１４として呼吸成分ｓ１１、ｓ２１、ｓ３１、ｓ４１の各サンプリング時刻毎の出力値を用いることで、各サンプリング時刻ごとの呼吸重心Ｇ１の位置が算出される。求められた全体重心Ｇの位置及び呼吸重心Ｇ１の位置は、記憶部４に記憶される。
【００３５】
［身体状態判定工程］
身体状態判定工程Ｓ４では、身体状態判定部３３が、全体重心Ｇの位置と呼吸重心Ｇ１の位置との比較に基づいて、被験者Ｓの身体状態を判定する。本明細書及び本発明においては、身体状態の判定とは、被験者が体内から体外へと何らかの物体を排出したか否かの判定を意味し、具体的には例えば、排泄（尿漏れを含む）、嘔吐、出血等が生じたか否かの判定を意味する。
【００３６】
身体状態判定部３３による被験者Ｓの身体状態の判定は、次の原理に基づいて行われる。
【００３７】
重心位置算出工程Ｓ３において算出される全体重心ＧはベッドＢＤの上面に荷重を加える全要素の合成重心であるため、ベッドＢＤ上に被験者Ｓ以外の人物（例えば見舞客）が腰かけた場合や、荷物等が置かれた場合にも変動する。一方で、被験者Ｓの呼吸重心Ｇ１は、被験者Ｓの呼吸周波数ν１で変動する呼吸成分ｓ１１〜ｓ４１を用いて算出される重心であり、被験者Ｓ以外の見舞客や荷物等の影響を受けないため、これらによる荷重がベッドＢＤの上面に加えられた場合でも変動しない。
【００３８】
ここで、ベッドＢＤの上面に荷重を加えている要素が被験者Ｓのみである場合には、合成重心Ｇの位置と被験者Ｓの呼吸重心Ｇ１の位置とは一致している。ここで、被験者Ｓが例えば排尿を行ったとすると、排尿により、被験者Ｓとは別体の無生物である尿がベッドＢＤの上面に現れる。したがって、合成重心Ｇの位置は、被験者Ｓとは別体の無生物である尿による荷重が加わったことにより変動する。
【００３９】
また、被験者Ｓの排尿により、被験者Ｓの体内（膀胱内）に存在していた尿が取り除かれる。したがって、呼吸重心Ｇ１の位置は、被験者Ｓの体内の一部に偏在していた一定の重量が取り除かれたことにより変動する。
【００４０】
すなわち、被験者Ｓが尿（又はその他の物体）を体内から体外に排出することにより、一致していた全体重心Ｇの位置と、呼吸重心Ｇ１の位置との間にずれが生じる。身体状態判定部３３は、このずれの発生に基づいて被験者Ｓが排泄等を行ったと判定する。
【００４１】
身体状態判定部３３は、図４に示す通り、重心位置比較部３３１と、荷重比較部３３２とを有する。身体状態判定工程Ｓ４は、図５に示す通り、重心位置比較工程Ｓ４１と、荷重比較工程Ｓ４２とを含む。
【００４２】
重心位置比較工程Ｓ４１では、重心位置比較部３３１が、全体重心Ｇの位置と呼吸重心Ｇ１の位置とを比較する。重心位置比較部３３１が、全体重心Ｇの位置と呼吸重心Ｇ１の位置とが異なると判断した場合（Ｓ４１：Ｙｅｓ）には、荷重比較工程Ｓ４２が実行される。一方、重心位置比較部３３１が、全体重心Ｇの位置と呼吸重心Ｇ１の位置とが一致すると判断した場合（Ｓ４１：Ｎｏ）には、再度重心位置比較工程Ｓ４１が繰り返される。
【００４３】
荷重比較工程Ｓ４２では、荷重比較部３３２が、全体重心Ｇの位置と呼吸重心Ｇ１の位置とにずれが生じた時（又はその後）にベッドＢＤの上面に加えられている総荷重Ｐ２と、予め測定されて記憶部４に記憶されている、全体重心Ｇの位置と呼吸重心Ｇ１の位置とにずれが生じる前にベッドＢＤの上面に加えられていた総荷重Ｐ１とを比較する。
【００４４】
身体状態判定部３３は、総荷重Ｐ２と総荷重Ｐ１とが一致している場合には、被験者Ｓが排泄等を行ったと判定して身体状態判定工程Ｓ４を終了する。一方、総荷重Ｐ２が総荷重Ｐ１よりも大きい場合には、何らかの外部要素による荷重がベッドＢＤの上面に付加されたと判定し、総荷重Ｐ２が総荷重Ｐ１よりも小さい場合には、何らかの異常が生じたと判定して身体状態判定工程Ｓ４を終了する。
【００４５】
［表示工程］
表示工程Ｓ５では、制御部３が、身体状態判定部３３における判定の結果を表示部５に表示する。表示は例えば、文字情報やシンボルマークを表示することにより行われる。なお、被験者Ｓが排泄等を行った場合に、報知部６を用いて音声による報知を行ってもよい。
【００４６】
本実施形態の身体状態モニタリングシステム１００の効果を以下にまとめる。
【００４７】
本実施形態の身体状態モニタリングシステム１００は、被験者Ｓの体内にあった尿等が被験者Ｓの体外に排出されることによって、同一の位置にあった全体重心Ｇと呼吸重心Ｇ１とにずれが生じる点に着目し、全体重心Ｇと呼吸重心Ｇ１にずれが生じたか否かに基づいて、排泄の発生等を判断している。したがって、被験者の身体になんら特別の装置や器具を取り付ける必要がなく、且つ被験者がベッド上のどこに位置していても被験者の排泄を検知することができる。
【００４８】
本実施形態の身体状態モニタリングシステム１００は、全体重心Ｇと呼吸重心Ｇ１との間にずれが生じる前の総荷重Ｐ１と、ずれが生じた後の総荷重Ｐ２とを比較し、両者が一致した場合に排泄等が生じたと判断する。このように、ベッドＢＤの上面に加えられる総荷重に基づく判断を加えることにより、モニタリングの信頼性をより高めることができる。
【００４９】
＜変形例＞
【００５０】
上記実施形態の身体状態モニタリングシステム１００において、呼吸重心Ｇ１に代えて心拍重心Ｇ２を用いても良い。被験者Ｓの心拍重心Ｇ２は、荷重信号ｓ１〜ｓ４のうちの、被験者Ｓの心拍の周波数（以下「心拍周波数ν２」）で変動する荷重成分（以下「心拍成分」）ｓ１２〜ｓ４２を用いて算出される重心である。ベッドＢＤの上面に荷重を加える要素が被験者Ｓ以外に存在したとしても、そのような要素により加えられる荷重成分は被験者Ｓの心拍周波数ν２で変動していないため、被験者Ｓ以外の要素は心拍成分ｓ１２〜ｓ４２に影響を与えない。、従って、心拍成分ｓ１２〜ｓ４２を用いて算出される心拍重心Ｇ２は、被験者Ｓの移動や、被験者Ｓの体内における重量バランスの変化等、被験者Ｓの変化に基づいてのみ変動する。
【００５１】
被験者Ｓが排泄等を行った場合には、全体重心Ｇの位置と呼吸重心Ｇ１の位置との間にずれが生じるのと同じ理由により、全体重心Ｇと心拍重心Ｇ２との間にもずれが生じる。従って、呼吸重心Ｇ１を心拍重心Ｇ２に置き換えても、呼吸重心Ｇ１を用いた場合と同様の判定を行うことができる。
【００５２】
被験者Ｓの身体状態の判定を心拍重心Ｇ２を用いて行う場合、信号分離工程Ｓ２では、信号分離部３１が、荷重信号ｓ１、ｓ２、ｓ３、ｓ４から、被験者Ｓの心拍成分ｓ１２、ｓ２２、ｓ３２、ｓ４２を分離する。心拍成分ｓ１２、ｓ２２、ｓ３２、ｓ４２の分離は呼吸成分ｓ１１、ｓ２１、ｓ３１、ｓ４１の分離と同様に行われるが、心拍の周波数は約０．５〜３．３Ｈｚであるため、例えば０．５Ｈｚ〜３．５Ｈｚの周波数帯域の周波数スペクトルが求められ、この周波数スペクトルに含まれる周波数ピークの位置より被験者Ｓの心拍周波数ν２が特定される。次いで信号分離部３１が、バンドパスフィルタ処理により、荷重信号ｓ１、ｓ２、ｓ３、ｓ４の各々から心拍成分ｓ１２、ｓ２２、ｓ３２、ｓ４２を分離して取り出し、重心位置算出部３２が、心拍成分ｓ１２、ｓ２２、ｓ３２、ｓ４２を用いて心拍重心Ｇ２を求める。
【００５３】
上記実施形態の身体状態モニタリングシステム１００において、身体状態判定部３３は、全体重心Ｇの位置と呼吸重心Ｇ１又は心拍重心Ｇ２の位置との間のずれが所定値を超えたことに基づいて排泄等が発生したと判定してもよい。また、身体状態判定部３３は、全体重心Ｇの位置と呼吸重心Ｇ１又は心拍重心Ｇ２の位置との間のずれの大きさに基づいて排泄物や吐しゃ物の量や出血量を推定してもよい。
【００５４】
上記実施形態の身体状態モニタリングシステム１００は、荷重比較部３４を有さなくても良い。この場合は、全体重心Ｇの位置と呼吸重心Ｇ１又は心拍重心Ｇ２の位置との比較のみに基づいて身体状態の判定を行う。
【００５５】
なお、ベッドＢＤの上面に荷重を加える要素が被験者Ｓのみである場合は、全体重心Ｇの位置と、呼吸重心Ｇ１の位置又は心拍重心Ｇ２の位置とが一致するものとして上記実施形態の説明を行ったが、被験者によっては、又は計測条件によっては、両者が一致しない場合もある。その場合は、ベッドＢＤの上面に荷重を加える要素が被験者Ｓのみである状態において生じている全体重心Ｇの位置と、呼吸重心Ｇ１の位置又は心拍重心Ｇ２の位置との間のずれを補正した上で、上記において説明した工程を行えばよい。あるいは、全体重心Ｇの位置と、呼吸重心Ｇ１の位置又は心拍重心Ｇ２の位置との間の距離が変化したことに基づいて、被験者Ｓに排泄等があったと判定してもよい。
【００５６】
上記実施係蹄の身体状態モニタリングシステム１００においては、被験者Ｓの全体重心Ｇと呼吸重心Ｇ１（又は心拍重心Ｇ２）とのずれの様子（ずれる方向、ずれる量、ずれる速度等）を、排泄、尿漏れ、出血、嘔吐等のそれぞれと対応付けた参照データを記憶部４に記憶していてもよい。この場合は、身体状態判定部２３３は、記憶部４の参照データを参照して、被験者に排泄が生じたか、尿漏れが生じたか、出血が長じたか、嘔吐が生じたかを判定することができる。あるいは、身体状態モニタリングシステム１００を、嘔吐や出血の発生は想定されず、排泄（尿漏れを含む）の検知だけが必要とされる被験者Ｓに使用する排泄検出モニタリングシステムとして構成してもよい。
【００５７】
上記の実施形態において、荷重検出器１１、１２、１３、１４は、ビーム形ロードセルを用いた荷重センサに限られず、例えばフォースセンサを使用することもできる。
【００５８】
上記の実施形態において、荷重検出器は４つに限られない。ベッドＢＤに追加の脚を設けて５つ以上の荷重検出器を使用してもよい。又はベッドＢＤの脚のうち３つのみに荷重検出器を配置してもよい。荷重検出器が３つの場合でも、これを一直線に配置しなければ、ベッドＢＤ面上での被験者Ｓの重心位置Ｇを検出できる。
【００５９】
上記の実施形態においては、荷重検出器１１、１２、１３、１４は、ベッドＢＤの脚の下端に取り付けられたキャスターＣ１、Ｃ２、Ｃ３、Ｃ４の下にそれぞれ配置されていたがこれには限られない。荷重検出器１１、１２、１３、１４はそれぞれ、ベッドＢＤの４本の脚とベッドＢＤの床板との間に設けられてもよいし、ベッドＢＤの４本の脚が上下に分割可能であれば、上部脚と下部脚との間に設けられても良い。また、荷重検出器１１、１２、１３、１４をベッドＢＤと一体型とし、ベッドＢＤと本実施形態の身体状態モニタリングシステム１００とからなるベッドシステムＢＤＳを構成してもよい（図６）。なお、本明細書において「ベッドに設けられた荷重検出器」とは、上述のようにベッドＢＤの４本の脚とベッドＢＤの床板との間に設けられた荷重検出器や、上部脚と下部脚との間に設けられた荷重検出器を意味する。
【００６０】
上記の実施形態において、荷重検出部１とＡ／Ｄ変換部２との間に、荷重検出部１からの荷重信号を増幅する信号増幅部や、荷重信号からノイズを取り除くフィルタリング部を設けても良い。
【００６１】
上記実施形態の身体状態モニタリングシステム１００において、表示部５は、使用者が視覚的に認識できるようにモニター上に情報を表示するものには限られない。例えば表示部５は、身体状態を印字して出力するプリンタでもよく、又は排泄の発生時にランプを点灯するといった簡易な視覚的表現を用いて表示するものであってもよい。または表示部５は、身体状態を音声で伝えるものであってもよい。さらに、身体状態モニタリングシステム１００は表示部５を有さなくてもよく、情報を出力する出力端子を有するのみであってもよい。表示を行うためのモニター（ディスプレイ装置）等は、当該出力端子を介して身体状態モニタリングシステム１００に接続される。
【００６２】
なお、上記実施形態の報知部６は聴覚的に報知を行っていたが、報知部６は、光の点滅等によって視覚的に報知を行う構成であってもよく、振動により報知を行う構成であってもよい。また、上記実施形態の身体状態モニタリングシステム１００は、報知部６を有さなくても良い。
【００６３】
本発明の特徴を維持する限り、本発明は上記実施の形態に限定されるものではなく、本発明の技術的思想の範囲内で考えられるその他の形態についても、本発明の範囲内に含まれる。
【産業上の利用可能性】
【００６４】
本発明の身体状態モニタリングシステムは、被験者の排泄、嘔吐、出血等を、被験者に何らの装置を取り付けることなく、容易に検出することができる。したがって、本発明の身体状態モニタリングシステムにより、患者の看護や、要介護者の介護の質の向上を図ることができる。
【符号の説明】
【００６５】
１  荷重検出部
１１、１２、１３、１４  荷重検出器
２  Ａ／Ｄ変換部
３  制御部
３１  信号分離部（荷重分離部）
３２  重心位置算出部
３３  身体状態判定部
４  記憶部
５  表示部
６  報知部
７  入力部
１００  身体状態モニタリングシステム
ＢＤ  ベッド
ＢＤＳ  ベッドシステム
ＧＴ  重心軌跡
Ｓ  被験者
【図１】
2018019763.tif 000005
【図２】
2018019763.tif 000006
【図３】
2018019763.tif 000007
【図４】
2018019763.tif 000008
【図５】
2018019763.tif 000009
【図６】
2018019763.tif 000010